(57)【要約】【課題】ネットワークに接続された換気扇の動作状態を検出して、ネットワークに接続された窓の開閉動作を制御する換気システムを提供するものである。【解決手段】室内の換気を行う換気扇６０の動作状態を検出する換気扇動作検出手段６２と、窓６４の開閉を行う窓開閉手段６５と、換気扇６０の動作状態と窓６４の開閉状態を監視する監視手段６６を有し、換気扇動作検出手段６２、窓開閉手段６５、監視手段６６はネットワーク６７を介して相互に接続され、監視手段６６は、換気扇６０の動作状態を検出し、窓６４の開閉を行うことにより、換気性能を落とすこともなく、また、ネットワーク６７を介して情報のやりとりができるので、配線や施工も簡単にできる。【選択図】図１
2006170464.tif 000002
【特許請求の範囲】
【請求項１】
室内の換気を行う換気扇と、前記換気扇の動作状態を検出する換気扇動作検出手段と、窓の開閉を行う窓開閉手段と、前記換気扇の動作状態と前記窓の開閉状態を監視する監視手段とを有し、前記換気扇動作検出手段、前記窓開閉手段、前記監視手段はネットワークを介して相互に接続され、前記監視手段は、換気扇の動作状態をネットワーク経由で検出し、前記窓開閉手段を介して、窓の開閉を行う換気システム。
【請求項２】
室内の人の存在を検出する人検知センサを有し、監視手段は人の存在がない部屋の窓の開閉を優先的に実施する請求項１記載の換気システム。
【請求項３】
外気温を検出する外気温センサを有し、監視手段は外気温が所定値より低い場合は、窓の開閉量を小さくすると共に、換気扇の運転能力を下げる請求項１または請求項２に記載の換気システム。
【請求項４】
請求項１〜３のいずれかに記載の換気システムの少なくとも一つの手段をコンピュータに実行させるためのプログラム。
【発明の詳細な説明】
【技術分野】
【０００１】
本発明は、ネットワークに接続された換気扇の動作状態の情報より、窓の開閉を制御するようにした、換気システムおよびそのプログラムに関するものである。
【背景技術】
【０００２】
従来のこの種のシステムとしては、換気扇やエアコンの動作状況の検出により、人の在室情報を検出して、その人の存在情報をネットワークに接続された他の機器に送ることにより、他の機器を最適な動作状態にするものであった（例えば、特許文献１参照）。
【０００３】
図５は、特許文献１に記載された従来のシステム構成を示すものである。
【０００４】
図５において、エアコンセンサ４４はエアコンが操作されると、そこに人の存在があると見なし、ホームネットワークに人の存在を通報する。また、蛇口センサ３４も蛇口の使用を検出し、ホームネットワークに人の存在を通報する。
【０００５】
図にはないが、換気扇や電気カーペットもその使用を検出し、ホームネットワークに人の存在を知らせることが記載されている。ホームネットワーク上に接続されたインターホン２や音響機器５は人の存在の情報をもとにして、玄関インターホン機器２３が操作された場合は、人の存在する部屋の音響機器５にインターホンの音声を転送するようにしている。
【特許文献１】特開２００４−１７３１８５号公報
【発明の開示】
【発明が解決しようとする課題】
【０００６】
しかしながら、前記従来の構成では、人の存在情報を基本にして、ネットワーク上に接続された他の機器の動作状態を決定するものであり、機器の動作状況をもとに他の機器の動作を決めることはできないという課題を有している。
【０００７】
最近の家は機密性が高く、換気扇が動作を開始しても窓が閉められていたら、所定の換気性能を出すことができない。換気扇を動作させるたびに、窓のある場所までいって、窓を開けることは非常に煩わしいものであった。
【０００８】
本発明は、前記従来の課題を解決するもので、ネットワークに接続された換気扇の動作状態を検出して、ネットワークに接続された窓の動作を制御する換気システムを提供することを目的とする。
【課題を解決するための手段】
【０００９】
前記従来の課題を解決するために、本発明の換気システムは、室内の換気を行う換気扇と、前記換気扇の動作状態を検出する換気扇動作検出手段と、窓の開閉を行う窓開閉手段と、前記換気扇の動作状態と前記窓の開閉状態を監視する監視手段とを有し、前記換気扇動作検出手段、前記窓開閉手段、前記監視手段はネットワークを介して相互に接続され、前記監視手段は、換気扇の動作状態をネットワーク経由で検出し、前記窓開閉手段を介して、窓の開閉を行うものである。
【発明の効果】
【００１０】
以上で説明したように、本発明によれば、換気扇の動作状態によって、ネットワークを介して、窓の開閉を行うことにより、換気性能を落とすこともなく、また、ネットワークを介して情報のやりとりができるので、配線や施工も簡単にできる。
【発明を実施するための最良の形態】
【００１１】
第１の発明は、室内の換気を行う換気扇と、前記換気扇の動作状態を検出する換気扇動作検出手段と、窓の開閉を行う窓開閉手段と、前記換気扇の動作状態と前記窓の開閉状態を監視する監視手段とを有し、前記換気扇動作検出手段、前記窓開閉手段、前監視手段はネットワークを介して相互に接続され、前記監視手段は、換気扇の動作状態をネットワーク経由で検出し、前記窓開閉手段を介して、窓の開閉を行うことにより、換気扇の動作状態によって、ネットワークを介して、窓の開閉を行うこととなり、換気性能を落とすこともなく、また、配線や施工も簡単にできる。
【００１２】
第２の発明は、人の存在を検出する人検知センサを有し、監視手段は人の存在がない部屋の窓の開閉を優先的に実施することにより、人が在室しない部屋の窓を開けることで、換気性能を維持したまま、人がいる部屋の室温を変化させないようにすることができる。
【００１３】
第３の発明は、外気温を検出する外気温センサを有し、監視手段は外気温が所定値よりも低い場合は、窓の開閉量を小さくすると共に、換気扇の運転能力をさげることにより、外気温が低い場合は、窓の開閉量を小さくし、換気扇の運転能力を小さくすることで、部屋の温度を下げないようにすることができる。
【００１４】
第４の発明は、請求項１〜３のいずれかに記載の換気システムの少なくとも一つの手段をコンピュータに実行させるためのプログラムとすることにより、電気・情報機器、コンピュータ、サーバ等のハードウェアリソースを協動させて換気システムの少なくとも一つの手段の容易に実現することができる。また記録媒体に記録したり通信回線を用いてプログラムを配信したりすることでプログラムの配布やインストール作業が簡単にできる。
【００１５】
以下、本発明の実施の形態について、図面を参照しながら説明する。なお、この実施の形態によって本発明が限定されるものではない。
【００１６】
（実施の形態１）
図１は、本発明の実施の形態１における監視システムのブロック図を示すものである。
【００１７】
図１に示すように、換気扇動作検出手段６２は、室内の換気用に設置された換気扇６０の動作状態を検出し、その動作情報をネットワーク６７に送る。運転制御手段６１は、ネットワーク６７からの情報をもとに換気扇６０の動作の制御を行う。人検知センサ６３は室内の人がいるかどうかを検出し、その情報をネットワーク６７に送る。窓開閉手段６５はネットワーク６７からの情報をもとに窓６４の開閉を行う。
【００１８】
監視手段６６はネットワーク６７上に換気扇動作検出手段６２からの換気扇６０の動作情報を受け取り、それが換気扇６０が動作を開始した場合は、人検知センサ６３からの情報を元に、窓開閉手段６５に制御情報を送る。
【００１９】
以上のように構成された換気システムについて、図２によりその動作、作用を説明する。図２は動作の流れを示すフローチャートである。
【００２０】
使用者が換気扇６０の使用を開始すると（図２のＳ１００）、換気扇動作検出手段６２はその使用状況を検出し、ネットワーク６７に動作を開始したという情報を送る（Ｓ１０１）。監視手段６６では、換気扇動作検出手段６２からの換気扇６０が動作開始したという情報を入手すると（Ｓ１０２）、ネットワーク６７に、各部屋に設置している人検知センサ６３に対して、人の存在の検出を要求する（Ｓ１０３）。
【００２１】
人検知センサ６３は室内に人がいるかどうかを検出し、その結果をネットワーク６７に送る。監視手段６６では各部屋の人検知センサ６３からの信号を元に、どの部屋に人がいるかいないかを認識する（Ｓ１０４）。そして、人のいない部屋を検出すると、その部屋の窓開閉手段６５に窓６４を開ける情報を送り、窓開閉手段６５は窓を所定の量開ける（Ｓ１０５）。
【００２２】
また、使用者が換気扇６０の動作を停止した場合は（Ｓ１０６）、動作を開始した場合と同様に、換気扇動作検出手段６２はその使用状況を検出し、ネットワーク６７に動作を停止したという情報を送る（Ｓ１０７）。監視手段６６は、換気扇動作検出手段６２からの換気扇６０が動作停止したという情報を入手すると（Ｓ１０８）、監視手段６６は直前に開けた窓６４を閉めるために、窓開閉手段６５に対して窓６４を閉める情報を送る（Ｓ１０９）。
【００２３】
以上述べてきたように、本実施の形態１によると、使用者が換気扇６０の運転を開始したら、自動的に窓６４が開けられる。これにより、部屋が高気密で換気扇６０の性能が十分ではなくても換気ができないということはなく、自動的に窓６４が開閉されるため、煩わしさがない。
【００２４】
なお、本実施の形態１では、換気扇３０を動作させた時に窓６４の開閉を行ったが、ドアなどでもよく、要は空気の流れを確保するための開口部が確保できればよい。
【００２５】
また、本実施の形態１では、複数の部屋を対象にして人のいない部屋を探すようにしたが、一部屋を対象にしてもよい。また、複数の部屋であっても、人検知センサを持たずに、所定の部屋の窓を開けるようにしてもよい。
【００２６】
（実施の形態２）
図３は、本発明の実施の形態２における換気システムのブロック図を示すものである。尚、実施の形態１と説明が重複するところは同一符号を付して説明を省略する。
【００２７】
本実施の形態において、実施の形態１と相違する点は、図３に示すように外気温センサ６８がネットワーク６７に接続されている点と、ネットワーク６７に接続された運転制御手段６１により、換気扇６０の運転制御を行う点である。
【００２８】
以上のように構成された換気システムについて、図４によりその動作、作用を説明する。
【００２９】
使用者が換気扇６０の使用を開始すると（図４のＳ２００）、換気扇動作検出手段６２はその使用状況を検出し、ネットワーク６７に動作を開始したという情報を送る（Ｓ２０１）。監視手段６６では、換気扇動作検出手段６２からの換気扇６０が動作開始したという情報を入手すると（Ｓ２０２）、ネットワーク６７に、外気温センサ６８にて外気温を検出するように要求する（Ｓ２０３）。外気温センサ６８は外気温を検出し、その検出結果をネットワーク６７に送る。
【００３０】
監視手段６６では、外気温センサ６８から送られた外気温の情報をもとに、所定の温度（例えば１０℃）と比較し（Ｓ２０４）、外気温が所定の温度以下であると、その部屋の窓開閉手段６５を動作させて窓６４を所定量の半分だけ開ける（Ｓ２１０）と同時に、運転制御手段６１に対して換気扇６０の運転能力を半分にするようにネットワーク６７に信号を送る（Ｓ２１１）。運転制御手段６１は換気扇６０の運転能力を半分に制御する（Ｓ２１２）。
【００３１】
また、外気温が所定の温度以上であった場合、使用者が換気扇６０の動作を停止した場合は、実施の形態１と同様であるので説明を割愛する（Ｓ２０５〜Ｓ２０９）。
【００３２】
以上述べてきたように、本実施の形態２によると、使用者が換気扇６０の運転を開始しても、外気温が低いと、窓の開閉量を半分にし、その分、換気扇６０の運転を半分にするので、窓を開けたことによる外気の流入によって、室温が下がるのを軽減される。
【００３３】
また、上記各実施の形態１、２における換気システムの少なくとも一つの手段の機能をコンピュータに実行させるためのプログラムとすることにより、簡単な構成で、確実に換気扇の動作に連動して窓を開閉し、換気能力を満たすことができる。また、プログラムであるのでＣＰＵ（マイコン）、ＲＡＭ、ＲＯＭ、記憶装置、Ｉ／Ｏ等を備えた電気情報機器、コンピュータ、サーバ等のハードリソースを協働させてシステムの少なくとも一つの手段の機能を用意に実現することができる。また記録媒体に記録したり通信回線を用いてプログラムを配信したりすることでプログラムの配布を簡単にすることができる。
【産業上の利用可能性】
【００３４】
以上のように、本発明にかかる換気システムは、石油やガスによる燃焼機器を動作させた場合にネットワーク経由で窓を開けて換気するような用途にも適用できる。
【図面の簡単な説明】
【００３５】
【図１】本発明の実施の形態１における換気システムの構成を示すブロック図
【図２】同換気システムの動作を示すフローチャート
【図３】本発明の実施の形態２における換気システムの構成を示すブロック図
【図４】同換気システムの動作を示すフローチャート
【図５】従来例の構成を示すブロック図
【符号の説明】
【００３６】
６０  換気扇
６１  運転制御手段
６２  換気扇動作検出手段
６３  人検知センサ
６４  窓
６５  窓開閉手段
６６  監視手段
６７  ネットワーク
６８  外気温センサ
【図１】
2006170464.tif 000003
【図２】
2006170464.tif 000004
【図３】
2006170464.tif 000005
【図４】
2006170464.tif 000006
【図５】
2006170464.tif 000007